(57)【要約】      （修正有）【課題】画像フィルムの自重による湾曲に基づく画像乱れの恐れがなく、しかも、画像フィルムの全面を画像表示に利用できるとともに、画像フィルムとレンズアレイ裏面との距離を一定に保つことが容易であり、更には、画像フィルムの外形形状に若干の歪みがあっても綺麗な画像を表示することができるレンズアレイを用いたディスプレイ装置を提供する。【解決手段】画像フィルム３が、その上部近傍で、かつ、レンズアレイ２の裏面に位置する部位に、偏心カム９を受け入れる１又は複数個の受入孔７を備え、その受入孔に挿入された偏心カムを駆動することによって画像フィルムをレンズアレイ２に対して移動させ、複数の画像を切り換えて表示するようにした【選択図】  図１
2004212549.tif 000002
【特許請求の範囲】
【請求項１】
レンズを複数個、側面を互いに隣接させて並べた構造のレンズアレイと、そのレンズアレイの裏面に配置された画像フィルムとを有し、この画像フィルムをレンズアレイに対して移動させることによって、画像フィルム上に分割して存在する複数の画像を切り換えて表示するディスプレイ装置において、画像フィルムが、その上部近傍で、かつ、レンズアレイの裏面に位置する部位に、駆動部材を受け入れる１又は複数個の受入孔を備え、その受入孔に挿入された駆動部材を駆動することによって画像フィルムをレンズアレイに対して移動させ、複数の画像を切り換えて表示するようにしたディスプレイ装置。
【請求項２】
レンズアレイが、その裏面に、画像フィルムの受入孔を貫通する駆動部材の先端部を収容する有底の凹部を有している請求項１記載のディスプレイ装置。
【請求項３】
画像フィルムのレンズアレイと対向する面と反対側に背面プレートを備えている請求項１又は２記載のディスプレイ装置。
【請求項４】
背面プレートが透明ないし半透明の光透過性材料から構成されている請求項３記載のディスプレイ装置。
【請求項５】
駆動部材が偏心カムであり、その偏心カムを回転駆動する動力を発生する動力源を備えている請求項１、２、３又は４記載のディスプレイ装置。
【請求項６】
駆動部材が駆動ピンであり、その駆動ピンを少なくとも上下方向の運動成分を含む運動をするように移動させる移動機構を備えている請求項１、２、３又は４記載のディスプレイ装置。
【請求項７】
移動機構が、一端が駆動ピンに連結され、他端が駆動源に連結ないし当接されたレバー状部材ないしは連結杵を含むものである請求項６記載のディスプレイ装置。
【請求項８】
駆動源が、ソレノイド、モーターとそれによって回転駆動される円盤状回転カム、又は、モーターとそれによって回転駆動される等速カムである請求項７記載のディスプレイ装置。
【請求項９】
移動機構が、駆動ピンに連結され、背面プレートに対してスライド自在に保持されたスライド部材と、そのスライド部材を背面プレートに対してスライド可能な方向に移動させる機構とを含むものである請求項６記載のディスプレイ装置。
【請求項１０】
スライド部材が、スライド部材に設けられた案内溝と、その案内溝と係合する、背面プレートに取り付けられた少なくとも２個のガイドローラーとによって、背面プレートにスライド自在に保持されている請求項９記載のディスプレイ装置。
【請求項１１】
スライド部材を背面プレートに対してスライド可能な方向に移動させる機構が、スライド部材の少なくとも一部と当接する偏心カムとその偏心カムを回転駆動する動力を発生する動力源を有している請求項９又は１０記載のディスプレイ装置。
【請求項１２】
スライド部材が、１又は２以上の駆動ピンに連結された部分と、背面プレートにスライド自在に保持された部分とを含み、両部分が互いに連結されている請求項９、１０又は１１記載のディスプレイ装置。
【請求項１３】
スライド部材が、更に、画像フィルムを固定する１又は２以上の固定ピンを有する部分を含み、その部分が、背面プレートにスライド自在に保持された部分と連結されている請求項９、１０、１１又は１２記載のディスプレイ装置。
【請求項１４】
レンズアレイが、その裏面に、画像フィルムを貫通する固定ピンの先端部を収容する有底の凹部を有している請求項１３記載のディスプレイ装置。
【請求項１５】
駆動ピン及び／又は固定ピンが、先端部にくびれ部を有し、そのくびれ部に嵌合する内径を有するリング状部材をくびれ部にはめることによって、駆動ピン及び／又は固定ピンからの画像フィルムの脱落及び／又は浮き上がりを防止する請求項６〜１４のいずれかに記載のディスプレイ装置。
【請求項１６】
駆動ピン及び／又は固定ピンの先端部が上方に曲折しており、それにより、駆動ピン及び／又は固定ピンからの画像フィルムの脱落及び／又は浮き上がりを防止する請求項６〜１４のいずれかに記載のディスプレイ装置。
【請求項１７】
上方に位置する駆動ピンの先端部が上方に曲折しており、下方に位置する固定ピンの先端部が下方に曲折しており、それによって、駆動ピン及び／又は固定ピンからの画像フィルムの脱落及び／又は浮き上がりを防止する請求項６〜１４のいずれかに記載のディスプレイ装置。
【請求項１８】
背面プレートとレンズアレイとを、両者の間に画像フィルムを移動可能に挟み込んだ状態で位置決めし固定する位置決め固定手段を備えている請求項３〜１７のいずれかに記載のディスプレイ装置。
【請求項１９】
位置決め固定手段がネジである請求項１８記載のディスプレイ装置。
【請求項２０】
位置決め固定手段が、レンズアレイの表面側及び／又は背面プレートの裏面側の側部近傍に設けられた係合溝と、その係合溝に係合する凸部を備えた断面Ｃ字型の、好ましくは弾性を備えた係合押さえ具である請求項１８記載のディスプレイ装置。
【請求項２１】
位置決め固定手段が、レンズアレイの一側端と背面プレートの一側端とを回動自在に連結する蝶番と、レンズアレイの他側端と背面プレートの他側端とを着脱自在に係止する係止部材である請求項１８記載のディスプレイ装置。
【請求項２２】
背面プレート及び／又はレンズアレイが、両者の間に画像フィルムを移動可能に挟み込むことを可能にするスペーサーを備えている請求項３〜２１のいずれかに記載のディスプレイ装置。
【請求項２３】
レンズを複数個、側面を互いに隣接させて並べた構造のレンズアレイと、そのレンズアレイの裏面に配置された画像フィルム、及び、その画像フィルムに対しレンズアレイと反対側に位置する背面プレートとを有し、画像フィルムをレンズアレイに対して移動させることによって、画像フィルム上に分割して存在する複数の画像を切り換えて表示するディスプレイ装置において、背面プレート及び／又はレンズアレイが、両者の間に画像フィルムを移動可能に挟み込むことを可能にするスペーサーを備えているディスプレイ装置。
【請求項２４】
背面プレートの画像フィルムと対向する側の面に、画像フィルムをレンズアレイ裏面に向かって付勢する柔軟性を有する部材を備えている請求項３〜２２のいずれかに記載のディスプレイ装置。
【請求項２５】
レンズを複数個、側面を互いに隣接させて並べた構造のレンズアレイと、そのレンズアレイの裏面に配置された画像フィルム、及び、その画像フィルムに対しレンズアレイと反対側に位置する背面プレートとを有し、画像フィルムをレンズアレイに対して移動させることによって、画像フィルム上に分割して存在する複数の画像を切り換えて表示するディスプレイ装置において、背面プレートの画像フィルムと対向する側の面に、画像フィルムをレンズアレイ裏面に向かって付勢する柔軟性を有する部材を備えているディスプレイ装置。
【請求項２６】
柔軟性を有する部材が光散乱性である請求項２４又は２５記載のディスプレイ装置。
【請求項２７】
柔軟性を有する部材が綿である請求項２４、２５又は２６記載のディスプレイ装置。
【請求項２８】
背面プレート及び／又はレンズアレイが、その画像フィルムに対向する側の面に、画像フィルムの移動方向を規制する案内部材を備えている請求項３〜２７のいずれかに記載のディスプレイ装置。
【請求項２９】
スペーサーが案内部材を兼ねている請求項２８記載のディスプレイ装置。
【請求項３０】
案内部材が案内ピンである請求項２８記載のディスプレイ装置。
【請求項３１】
レンズアレイの裏面に平行な面内での画像フィルムのレンズアレイに対する位置関係を調整する手段を備えている請求項１〜３０のいずれかに記載のディスプレイ装置。
【請求項３２】
画像フィルムのレンズアレイに対する位置関係を調整する手段が案内ピンであり、案内ピンが、背面プレート及び／又はレンズアレイに対し、その位置を調整可能な状態に取り付けられており、案内ピンの位置を調整することにより画像フィルムのレンズアレイに対する位置関係を調整することができる請求項３１記載のディスプレイ装置。
【請求項３３】
案内ピンが、案内ピンの中心から偏心した位置にある回転軸によって背面プレート及び／又はレンズアレイに軸支されており、案内ピンを回転させることによって、その位置を調整可能な状態に取り付けられている請求項３２記載のディスプレイ装置。
【請求項３４】
画像フィルムのレンズアレイに対する位置関係を調整する手段が、レンズアレイの一側端と背面プレートの一側端とを回動自在、かつ、傾き変更可能に連結する蝶番と、レンズアレイの他側端に対する背面プレートの他側端の位置を調整する位置調整部材とを含むものである請求項３１記載のディスプレイ装置。
【請求項３５】
画像フィルムのレンズアレイに対する位置関係を調整する手段が駆動ピンであり、駆動ピンが、その駆動ピンを少なくとも上下方向の運動成分を含む運動をするように移動させる移動機構に対し、その位置を調整可能な状態に取り付けられており、駆動ピンの位置を調整することにより画像フィルムのレンズアレイに対する位置関係を調整することができる請求項３１記載のディスプレイ装置。
【請求項３６】
駆動ピンが、駆動ピンの中心から偏心した位置にある回転軸によって移動機構に軸支されており、駆動ピンを回転させることによって、その位置を調整可能な状態に取り付けられている請求項３５記載のディスプレイ装置。
【請求項３７】
レンズを複数個、側面を互いに隣接させて並べた構造のレンズアレイと、そのレンズアレイの裏面に配置された画像フィルムとを有し、この画像フィルムをレンズアレイに対して移動させることによって、画像フィルム上に分割して存在する複数の画像を切り換えて表示するディスプレイ装置において、レンズアレイの裏面に平行な面内での画像フィルムのレンズアレイに対する位置関係を調整する手段を備えているディスプレイ装置。
【発明の詳細な説明】
【０００１】
【発明の属する技術分野】
本発明はディスプレイ装置に関し、詳細には、簡単な構成で、複数個の画像を断続的ないしは連続して切り替え表示することができるディスプレイ装置に関するものである。
【０００２】
【従来の技術】
近年、各種ディスプレイ装置の開発、発展はめざましく、液晶ディスプレイを初めとして、プラズマディスプレイ、電界放出型ディスプレイ、有機電界発光ディスプレイ、発光ダイオード利用ディスプレイなど、種々のディスプレイ装置が提案ないし実用化されている。
【０００３】
しかしながら、これらのディスプレイ装置は、いずれも、表示する内容を自在に変更できるという利点を備えてはいるものの、特殊な化合物や高度な加工技術を必要とし、装置が複雑で大掛かりなものとなる上に、必然的に高価になるという欠点を有している。
【０００４】
一方、特殊な化合物や高度な加工技術を必要とせず、簡単な構造で複数の画像を表示できるディスプレイ装置としては、特許文献１〜特許文献４において提案されているものがある。これらのディスプレイ装置は、線形の細長いレンズを複数個隣接して並べた構造のレンズアレイと、そのレンズアレイの裏面に配置された画像フィルムとを有し、この画像フィルムを線形レンズアレイの隣接するレンズ間の距離と等しい距離で周期的に移動させることによって、画像フィルム上に短冊状に分割して交互に描かれた複数の画像を切り換えて表示するものである。
これらのディスプレイ装置は、構造が簡単で、安価に製造できるという利点を備えてはいるものの、例えば、特許文献１ないし特許文献３に開示されたディスプレイ装置においては、画像フィルムの下端か、せいぜい画像フィルムの中央部に設けられた切り欠き部分に偏心カムを当接させて画像フィルムを周期的に移動させる構造であるため、画像フィルム自身が自立できる程度の剛性を備えていない場合には、画像フィルムの上端部が自重によって湾曲し、表示する画像に乱れが生じるという欠点がある。
【０００５】
また、特許文献４に開示されているディスプレイ装置においては、画像フィルムの端部を周期的に移動するガイドレールに重ね合わせ、複数本のピンでガイドレールに取り付けているため、ガイドレールと重なった部分の画像フィルムは、画像表示に使用することができず、無駄な領域になってしまうという欠点があるとともに、特に大型のディスプレイ装置とした場合には、レンズアレイと画像フィルムとの間隔を常に一定に保つことが困難で、画像に乱れが生じ易いという問題点があった。
【０００６】
更には、画像フィルムの製造時、ややもすれば画像フィルムの外形形状に若干の歪みが生じる場合があり、このような形状に歪みのある画像フィルムを上記のような従来のディスプレイ装置に使用すると、ややもすれば、レンズアレイと画像フィルム上の画像との位置関係が所定のものからずれることがあり、結果として表示される画像に乱れが生じるという不都合があった。従来、このような不都合に対しては何らの考慮も払われておらず、そのような画像フィルムは不良品として排除することで対処しているのが実状であり、画像フィルムの歩留まりが悪いという弊害をもたらしていた。
【０００７】
【特許文献１】
特開２００１−１２５５２０号公報
【特許文献２】
特開２０００−３１４７７７号公報
【特許文献３】
特開２００１−３４２０５号公報
【特許文献４】
特開２００１−２８３３０８号公報
【０００８】
【発明が解決しようとする課題】
本発明は、上記のようなレンズアレイを用いた従来のディスプレイ装置がもつ欠点を解決するために為されたもので、画像フィルムがそれ自身自立できる剛性を備えでいない場合でも画像フィルムの自重による湾曲に基づく画像の乱れがなく、しかも、画像フィルムの全面を画像表示に利用できるとともに、画像フィルムとレンズアレイ裏面との距離を一定に保つことが容易であり、更には、画像フィルムの外形形状に若干の歪みがあっても綺麗な画像を表示することができるレンズアレイを用いたディスプレイ装置を提供することを課題とするものである。
【０００９】
【課題を解決するための手段】
本発明は、レンズを複数個、側面を互いに隣接させて並べた構造のレンズアレイと、そのレンズアレイの裏面に配置された画像フィルムとを有し、この画像フィルムをレンズアレイに対して移動させることによって、画像フィルム上に分割して存在する複数の画像を切り換えて表示するディスプレイ装置において、画像フィルムが、その上部近傍で、かつ、レンズアレイの裏面に位置する部位に、駆動部材を受け入れる１又は複数個の受入孔を備え、その受入孔に挿入された駆動部材を駆動することによって画像フィルムをレンズアレイに対して移動させ、複数の画像を切り換えて表示するようにしたディスプレイ装置を提供することにより、上記課題を解決するものである。
【００１０】
上記のように、本発明のディスプレイ装置においては、画像フィルムが、その上部近傍に駆動部材を受け入れる受入孔を備え、その受入孔に挿入された駆動部材を駆動することによって画像フィルムをレンズアレイに対して移動させるようにしているので、画像フィルムはその上部で駆動部材によって支持されることになり、画像フィルムが仮に剛性の小さなフィルムであったとしても、画像フィルムの上部が自重によって湾曲するというような恐れはない。なお、本発明において、画像フィルムの上部とは、画像フィルムを本発明のディスプレイ装置にセットして、表示される画像が通常見る向きになるようにディスプレイ装置を垂直に立てたときの画像フィルムの上部をいい、上部近傍とは、画像フィルムの上端から長さで１／３程度までの範囲、好ましくは１／４程度まで、更に好ましくは１／５程度までの範囲をいう。
【００１１】
また、本発明のディスプレイ装置においては、駆動部材を受け入れる受入孔は、画像フィルムのレンズアレイの裏面に位置する部位に設けられているので、レンズアレイの裏面からはみ出た位置に別途駆動部材との連結位置を設ける必要がなく、画像フィルムの全面を画像表示に利用することが可能となる。この場合、レンズアレイが、その裏面に、画像フィルムの受入孔を貫通する駆動部材の先端部を収容する有底の凹部を有しているのが望ましい。このようにレンズアレイに有底の凹部を設けておくことにより、駆動部材を画像フィルムの受入孔を貫通させることが可能となり、駆動部材と画像フィルムとの係合をより確実なものとすることができる。レンズアレイの裏側に設けられた有底の凹部の反対側、つまり、レンズアレイの表側は、勿論、レンズのまま残されているので、駆動部材が画像フィルムを貫通していることによる表示画像の乱れを最小限に止めることが可能になり、駆動部材が存在している箇所も含めて、画像フィルム全体を画像表示に利用することができるという利点がもたらされる。
【００１２】
本発明のディスプレイ装置においては、画像フィルムを移動させる駆動部材に特に制限はなく、画像フィルムを所定の距離だけ繰り返し移動させることができるものであればどのような駆動部材を使用しても良い。最も構造簡単なものとしては、例えば、偏心カムや駆動ピンなどがあり、この偏心カムや駆動ピンを画像フィルムに設けられた受入孔に挿入し、好ましくは受入孔を貫通させて、画像フィルムと当接させた状態で、回転駆動ないしは少なくとも上下方向の運動成分を含む運動をするように移動させれば良い。
【００１３】
偏心カムを回転駆動させたり、駆動ピンを所定の方向に移動させる駆動源としては、汎用されている種々の駆動源を用いることができ、例えば、電動モーター、ソレノイド、エアタービン、リニアモーターなどがあり、これら駆動源からの駆動力を偏心カムや駆動ピンに伝達するに際しては、ギアボックス等の適宜の減速手段や、レバー、カム、等速カムなど、通常汎用されている適宜の動力伝達機構を介在させることができる。
【００１４】
また、本発明は、画像フィルムのレンズアレイと対向する面と反対側に背面プレートを備え、背面プレートとレンズアレイとの間に画像フィルムを移動可能に挟み込むことを可能にするスペーサーを備えているディスプレイ装置を提供することによっても上記の課題を解決するものである。本発明のディスプレイ装置においては、このように、背面プレートを設けて、背面プレートとレンズアレイとの間にスペーサーを備えることにより、画像フィルムをレンズアレイ裏面に密着させることができ、レンズアレイと画像フィルムとの距離を常に一定に保つことが可能となる。
【００１５】
更に、本発明は、画像フィルムのレンズアレイと対向する面と反対側に背面プレートを備え、かつ、背面プレートの画像フィルムと対向する側の面に、画像フィルムをレンズアレイ裏面に向かって付勢する柔軟性を有する部材を備えているディスプレイ装置を提供することによっても上記の課題を解決するものである。
すなわち、この柔軟性を有する部材によって画像フィルムをレンズアレイ裏面に向かって付勢し、レンズアレイ裏面に画像フィルムを密着させることができるので、レンズアレイと画像フィルムとの距離を常に一定に保つことが可能となる。
このような柔軟性を有する部材によって画像フィルムを付勢するようにすれば、例えば、スペーサーを有効に利用できない大型のディスプレイ装置の場合などにおいても画像フィルムとレンズアレイ裏面との距離を一定に保つことができ、極めて便利である。特に、柔軟性を有する部材として光散乱性の部材を使用する場合には、背後からの自然光ないしは人工のバックライトを散乱して、画像フィルム全体に均一に光を行き渡らせることができるので、均一で柔らかな明るさの画像を得ることができる。光散乱性の柔軟性を有する部材としてはどのようなものを用いても良いが、例えば、綿は入手が容易である上に、柔軟性、光散乱性ともに優れ、本発明においては好ましく用いられる。
【００１６】
更に、本発明は、レンズアレイの裏面に平行な面内での画像フィルムのレンズアレイに対する位置関係を調整する手段を備えているディスプレイ装置を提供することによっても上記の課題を解決するものである。このように、本発明のディスプレイ装置においては、レンズアレイの裏面に平行な面内での画像フィルムのレンズアレイに対する位置関係を調整する手段を備えているので、仮に、画像フィルムの外形形状に歪みがある場合でも、画像フィルム上の画像とレンズアレイとの位置関係を所定の正しい位置に調整することができ、綺麗で乱れのない画像を表示することが可能となる。
【００１７】
本発明でいう画像フィルムとは、その厚さに関わりなく、表面ないしは表面から見える位置に画像を有するものであって、いわゆるシート状、板状などのものも含むものである。また、本発明でいう画像とは、文字、記号、絵、写真、模様、その他、人間が目で見て観察できる全ての情報を含む概念であり、そのような画像の複数個を、断続的及び／又は連続的に表示することによって、本発明のディスプレイ装置は、単独に設置される広告媒体としては勿論、飲料やたばこ等の各種商品の自動販売機に取り付けられる広告媒体ないしは表示媒体として、更には、掲示媒体、案内媒体、アミューズメント媒体、飾り媒体などとして広く利用することができる。
【００１８】
【発明の実施の形態】
以下本発明の実施の形態を図面を参照しながら説明するが、本発明が図示のものに限られる訳ではないことは勿論である。特に、以下に示す実施の形態においては、線形の細長いレンズ複数個をその長手方向を隣接させて配列したレンズマトリックスを例に説明を進めるが、本発明は、同じ出願人が特願２００２−１１３３３８号明細書で開示したような、複数個のレンズを縦横２次元に配列したレンズマトリックスを有するレンズパネルと、そのレンズパネルの裏側に画像フィルムを保持する画像フィルム保持機構と、レンズマトリックスを構成する個々のレンズに対応した画像フィルム上の領域内に位置する少なくとも３つ以上の領域部分が、任意の順序で、対応するレンズの表側から見たときの画像形成位置にくるように、画像フィルムをレンズパネルに対して相対的に縦横２次元方向に移動させる画像フィルム移動機構とを備えてなるディスプレイ装置にも適用可能であることは言うまでもない。
【００１９】
図１は、本発明のディスプレイ装置の各構成要素を分解した状態で示した斜視図であり、図２は、その組み立てた状態でのＡ−Ａ’断面図である。図１及び図２において、１は本発明のディスプレイ装置であり、ディスプレイ装置１は、レンズアレイ２、画像フィルム３、背面プレート４から構成されている。図示の例では、レンズアレイ２は、通常の凸型レンズであるが、フレネルレンズを用いても良いことは勿論である。また、背面プレート４としては、透明或いは半透明の光透過性の材料で構成されているものを使用するのが望ましく、その場合には、背面プレート４の背後に自然光或いは人工のバックライトをおいて、レンズアレイ２の表面に表示される画像の明るさを調節することができるので便利である。
【００２０】
レンズアレイ２には、スペーサー５ａ、５ｂが取り付けられている。スペーサー５ａ、５ｂは、レンズアレイ２と背面プレート４との間に、画像フィルム３が自在に移動できるだけの空間を残し、しかも、画像フィルム３とレンズアレイ２の裏面との距離を一定に保つように画像フィルム３のレンズアレイ２に対する位置関係を規制するものである。したがって、スペーサー５ａ、５ｂとしては、画像フィルム３よりも若干厚めのものが良く、且つ、圧縮変形し難い素材で構成されるのが良い。なお、図示の例においては、スペーサー５ａ、５ｂは、画像フィルム３の両側にそれぞれ１枚ずつ配置されているが、スペーサー５ａ、５ｂは、そのぞれぞれを複数個に分割しても良く、また、画像フィルム３の上下の位置にも配するようにしても良い。なお、ここでいう上下とは、本発明のディスプレイ装置１を通常画像を見る方向に垂直に立て掛けたときの上下であって、図示の例では左右の方向である。更には、レンズアレイ２に取り付けるのではなく、背面プレート４の側に取り付けるようにしても良い。
【００２１】
６ａ、６ｂ、６ｃ、６ｄは、レンズアレイ２に立設された４本の案内ピンである。案内ピン６ａ、６ｂ、６ｃ、６ｄは、画像フィルム３の移動が所定の経路からずれないように、その位置と移動経路を規制するものであり、画像フィルム３の側面が常に案内ピン６ａ、６ｂ、６ｃ、６ｄと当接するような位置に立設されている。場合によっては、案内ピン６ａ、６ｂ、６ｃ、６ｄの一部又は全部を、背面プレート４の側に立設しても良いし、案内ピン６ａ、６ｂ、６ｃ、６ｄの一部又は全部を、スペーサー５ａ及び／又は５ｂによって代替させることも可能である。
【００２２】
７は、画像フィルム３に設けられた駆動部材受入孔であり、この受入孔７には、背面プレート４に設けられた取付孔８を介して、偏心カム９が挿入される。図示の例では、取付孔８は、偏心カム９の挿入と回転を許容する大きさを有しているが、回転軸１０の部分だけが取付孔８を貫通する場合には、回転軸１０の挿入と回転を許容するだけの大きさであっても良い。１１は偏心カム９を回転駆動する駆動源としてのモーターであり、図示しない部材によって背面プレート４の適宜の位置に固定されている。モーター１１はギアボックス等の適宜の減速手段を内蔵しており、その回転運動を適当な早さにまで減速して偏心カム９に伝達することができるようになっている。モーター１１としては回転速度が可変なサーボモーター等を使用しても良い。
【００２３】
１２ａ、１２ｂ、１２ｃ、１２ｄはネジであり、背面プレート４を貫通し、レンズアレイ２の裏面に設けられたネジ孔に螺合させることによって、画像フィルム３を間に挟み込んだ状態で、レンズアレイ２と背面プレート４とを一体に、所定の位置関係で固定することができる。このとき、画像フィルム３は、図１の破線で示す位置にあり、その左右方向の位置は、案内ピン６ａ、６ｂ、６ｃ、６ｄによって位置決め且つ規制され、上下方向の位置は、背面プレート４に対して位置を固定されたモーター１１と結合している偏心カム９が画像フィルム３の受入孔７に挿入されることによって位置決めされ且つ規制されることになる。なお、１３ａ、１３ｂ、１３ｃ、１３ｄは、案内ピン６ａ、６ｂ、６ｃ、６ｄと対応した位置にある案内ピン受入孔である。
【００２４】
このような本発明のディスプレイ装置１を組み立てると、そのＡ−Ａ’断面図は図２に示すようなものとなり、この状態でモーター１１を図示しない電源からの電気エネルギーによって回転させ偏心カム９を回転駆動すると、画像フィルム３は図２の双方向矢印で示すように上下に周期的に移動し、それに伴い、図２の左側から見ると、レンズアレイ２の表面には複数の画像が切り変わって表示されることになる。画像フィルム３を取り換えるには、ネジ１２ａ、１２ｂ、１２ｃ、１２ｄを緩め、レンズアレイ２と背面プレート４との結合を解除し、画像フィルム３を取り外して、他の画像フィルムと取り換えれば良い。画像フィルム３が薄く、レンズアレイ２の裏面との距離を一定に保つことが困難な場合には、背面プレート４と画像フィルム３との間に柔軟性を持った部材、例えば、綿などを薄く敷き詰めることができる。
【００２５】
なお、以上の例では、レンズアレイ２を構成する複数個のレンズは、本発明のディスプレイ装置１を通常画像を見る方向で垂直に立てたとき、水平方向に平行に位置しており、これに対し、画像フィルム３が垂直方向に移動して複数の画像を切り換え表示するようになっているが、レンズアレイ２を構成する複数個のレンズは垂直方向に平行に位置していても良く、その場合には、当然のことながら、案内ピン６ａ、６ｂ、６ｃ、６ｄは、画像フィルム３の上下に位置することになり、画像フィルム３は、偏心カム９によって水平方向に移動せしめられ、複数の画像を切り換え表示することになる。ただし、その場合でも、駆動部材である偏心カム９を受け入れる画像フィルム３の受入孔７は、画像フィルム３の上部に位置することに変わりはない。
【００２６】
次に、図３〜図６を用いて、本発明のディスプレイ装置１の動作を説明する。
図３において、レンズアレイ２を構成しているレンズ２１、２２、２３には、画像フィルム３上の、例えば、それぞれ３個の画像断片Ａ１、Ｂ１、Ｃ１；又はＡ２、Ｂ２、Ｃ２；又はＡ３、Ｂ３、Ｃ３がそれぞれ対応している。今、図３の状態においては、画像フィルム３上の画像断片Ｂ１、Ｂ２、Ｂ３が、ちょうど、対応するレンズ２１、２２、２３による画像形成位置にあり、結果として、レンズアレイ２を表側から見る観察者には、図４に示すように、画像断片Ｂ１、Ｂ２、Ｂ３が連続することによって形成される画像、例えば、「Ｂ」の文字が見えることとなる。
【００２７】
次に、偏心カム９が回転することに伴って画像フィルム３が図３の矢印方向に、画像断片の１つ分だけ移動すると、レンズ２１、２２、２３と画像フィルム３との位置関係は図５に示すような状態となり、画像断片Ｃ１、Ｃ２、Ｃ３が、ちょうど、対応するレンズ２１、２２、２３による画像形成位置に来て、結果として、レンズアレイ２を表側から見る観察者には、図６に示すように、画像断片Ｃ１、Ｃ２、Ｃ３が連続することによって形成される画像、例えば、「Ｃ」の文字が見えることとなる。同様にして、更に画像フィルム３が移動して、画像断片Ａ１、Ａ２、Ａ３がレンズ２１、２２、２３の画像形成位置にくると、画像断片Ａ１、Ａ２、Ａ３が連続することによって形成される別の画像が見えることになる。なお、以上の例では、画像フィルム３上に３種類の画像が存在する場合を例にとって説明したが、画像フィルム３上の画像の種類は３種類に限られるものではなく、２種類であっても、４種類以上であっても良い。
【００２８】
次に、図７〜図９を用いて、図１、図２に示した形式の本発明のディスプレイ装置１において、レンズアレイ２の裏面に平行な面内で画像フィルム３のレンズアレイ２に対する位置関係を調整する手段について説明する。すなわち、図７は本発明のディスプレイ装置１の案内ピン６ａの部分だけを断面図として模式的に示したものであるが、案内ピン６ａは、偏心した回転軸１５ａによって、レンズアレイ２に設けられた凹部１４ａに回転自在に取り付けられている。画像フィルム３は、案内ピン６ａの向こう側（紙面の奥の側）にあって、案内ピン６ａの側面と当接している。案内ピン６ａの頂部には、図８の平面図に示すように、例えば十字穴が形成されており、ドライバーなどによって簡単に回転させることができるようになっている。今、案内ピン６ａを図中矢印方向に回転させると、回転軸１５ａが偏心しているために、案内ピン６ａは回転とともに図８の破線で示す位置に移動し、その結果、画像フィルム３も押されて、図８の破線で示す３’の位置まで移動する。すなわち、案内ピン６ａを回転することによって、画像フィルム３の案内ピン６ａと当接する部分の位置を移動させることができる。
【００２９】
図９は、画像フィルム３の移動の全体像を示すもので、背面プレート４を部分的に切り欠いて示すものである。図９において、下方の案内ピン６ｂ、６ｃは不動であり、画像フィルム３の下部を常に一定の位置に保持している。これに対し、案内ピン６ａは、図７、図８に示すようにレンズアレイ２の凹部１４ａ内に偏心した回転軸１５ａの回りに回転自在に取り付けられており、案内ピン６ｄもレンズアレイ２の凹部１４ｄ内に図示しない偏心した回転軸１５ｄの回りに回転自在に取り付けられている。したがって、案内ピン６ａ及び６ｄを回転させることによって、画像フィルム３の上部の位置は図９の矢印方向にずれ、画像フィルム３の下部が案内ピン６ｂ、６ｃによって上述のとおり一定位置に保持されていることから、画像フィルム３は全体としては、レンズアレイ２に対して垂直な軸（紙面に垂直な軸）の回りに回転したことになり、結果として、レンズアレイ２の裏面に平行な面内で画像フィルム３のレンズアレイ２に対する位置関係が調整されたことになる。
【００３０】
このような画像フィルム３のレンズアレイ２に対する位置関係の調整は、乱れのない画像を得る上で非常に重要である。何故ならば、画像フィルム３は通常切断工程を経て製造されることが多く、切断工程において、外形形状に若干の歪みがもたらされ、例えば、正確な長方形や正方形でなくなる場合がある。そのような画像フィルム３を従来のディスプレイ装置にセットすると、画像フィルム３上に存在する画像とレンズアレイ２を構成する複数個のレンズとの位置関係にずれが生じ、正確で綺麗な画像が形成されないことがある。そのような場合、従来は、その画像フィルムを不良品として排除していたのであるが、本発明のように傾き調整手段を備えたディスプレイ装置によれば、レンズアレイ２によって形成される画像を見ながら、例えば案内ピン６ａ、６ｄを回転させて画像フィルム３のレンズアレイ２に対する位置関係を調整し、綺麗な画像が得られる位置に画像フィルム３をセットすることができる。
【００３１】
なお、上述の例においては、下部の案内ピン６ｂ、６ｃは固定とし、上部の案内ピン６ａ、６ｄを偏心回転可能としたが、逆に、上部の案内ピン６ａ、６ｄを固定とし、下部の案内ピン６ｂ、６ｃを偏心回転可能としても良いし、全ての案内ピン６ａ、６ｂ、６ｃ、６ｄを偏心回転可能としても良い。また、案内ピンを位置調整可能にする機構としては、上述のような案内ピンを偏心軸によって回転可能に軸支する構成に限られるものではなく、単に長孔を有するＬ字金具を案内ピンとし、その長孔を介して案内ピンとしてのＬ字金具をネジによってレンズアレイ２又は背面プレート４に固定する機構としても良い。ネジを緩め案内ピンであるＬ字金具の位置を調整することによって、案内ピンの位置調整が可能である。
【００３２】
なお、本発明において、画像フィルム３のレンズアレイ２に対する位置関係の調整とは、上述のように、下部の案内ピン６ｂ、６ｃ、又は上部の案内ピン６ａ、６ｄを固定して、上部の案内ピン６ａ、６ｄ、又は下部の案内ピン６ｂ、６ｃを移動させて、レンズアレイ２に対して垂直な軸の回りに画像フィルム３を回転させる場合は勿論、案内ピン６ａ及び／又は６ｄ、或いは、案内ピン６ｂ及び／又は６ｃを移動させて、案内ピン６ａと６ｄ、或いは、６ｂと６ｃの距離を調整する場合も含むものである。
【００３３】
図１０、図１１は、駆動部材として駆動ピンとレバーとソレノイドを採用した場合の例を示す図であって、図１０は背面プレート４を一部切り欠いて示す平面図、図１１はそのＡ−Ａ’断面図である。図１０及び図１１において、１６は駆動ピンであり、画像フィルム３に設けられている長孔形の受入孔７に挿入され、受入孔７を貫通して、その先端は、レンズアレイ２に設けられた有底の凹部１７内にまで到達している。このように、駆動ピン１６の先端を画像フィルム３の受入孔７を貫通させることによって、駆動ピン１６と画像フィルム３との係合関係がより確実なものになる。また、駆動ピン１６の先端を受け入れる凹部１７は有底のものであり、その反対側にはレンズアレイが存在しているので、駆動ピン１６が画像フィルム３を貫通する箇所の近傍においてもレンズアレイ２による画像形成は為され、駆動ピン１６に画像フィルム３を貫通させることによる画像の乱れを最小限に抑えることができる。これにより、本発明においては、駆動ピン１６による画像フィルム３の貫通箇所を表示画像内とすることが可能となり、画像フィルム３の全面を画像形成に用いることができるという利点がある。
【００３４】
１８は、回転軸１９によって回転可能に軸支されたＬ字レバーであり、その一端は駆動ピン１６と結合しており、他端は、係合ピン２０と長孔２１を介して伝達片２２と連結されている。伝達片２２はソレノイド２３に連結されている。今、ソレノイド２３が駆動されて伝達片２２を図中矢印で示す右方向に吸引すると、Ｌ字レバー１８は、回転軸１９を中心に図中破線位置まで回転し、結合されている駆動ピン１６を上方破線位置に移動させる。駆動ピン１６が破線位置に移動すると、その駆動ピン１６が貫通挿入されている画像フィルム３も上方の破線位置まで矢印で示すように移動する。かくして、画像フィルム３上に存在する複数の画像が切り換わりレンズアレイ２によって表示されることになる。
【００３５】
図１２、図１３は、駆動部材として駆動ピンと連結杵と円盤状回転カムを採用した場合の例を示す図であって、図１２は背面プレート４を一部切り欠いて示す平面図、図１３はそのＡ−Ａ’断面図である。図１２及び図１３において、１６は駆動ピンであり、図１０、図１１の場合と同様に、画像フィルム３の受入孔７を挿入貫通して、その先端はレンズアレイ２の有底凹部１７内に達している。図１２、図１３の例の場合、画像フィルム３の受入孔７は駆動ピン６の断面形状と同様の形状を有している。２４は、その一端が駆動ピン１６に回転自在に連結され、他端が円盤状回転カム２５に回転自在に連結された連結杵であり、円盤状回転カム２５が図示しないモーターにより回転駆動されると、円盤状回転カム２５の動作に伴って移動し、駆動ピン１６に周期的な運動を与え、結果として、画像フィルム３が図中双方向矢印の方向に移動して、画像フィルム３上に存在する複数の画像が切り換わりレンズアレイ２によって表示されることになる。
【００３６】
図１４は、駆動部材として駆動ピンとレバーと等速カムを採用した場合の例を示す図である。図１４において、レバー２６の一端は駆動ピン１６に連結され、他端は、回転する等速カム２７に当接している。１９はレバー２６を回転可能に軸支する回転軸であり、４９はレバー２６が常に等速カム２７に当接するように付勢するバネである。等速カム２７が図示しない駆動源からの駆動力を得て回転を開始すると、それに伴い、レバー２６は回転軸１９を回転中心として上下動を繰り返し、その結果、駆動ピン１６及びその駆動ピン１６と受入孔７を介して連結している画像フィルム３も上下動を繰り返すこととなる。ただし、この図示の例においては、等速カム２７を使用しているので、駆動ピン１６の上下動、すなわち、画像フィルム３の上下動は常に一定の速度で行われ、レンズアレイ２によって表示される複数の画像も一定の速度で切り変わることになり、観察者は落ち着いた画像の変化を楽しむことが可能となる。
【００３７】
図１５は、レンズアレイ２と背面プレート４とを、間に画像フィルム３を挟み込んだ状態で一体に固定する手段としてネジ以外のものを示す斜視図である。図１５において、２８、２８は、断面Ｃ字型の係合押さえ具であり、端部に設けられた係合凸部２９、２９を、レンズアレイ２及び背面プレート４に設けられた係合溝３０、３０と係合させながら差し込んでいくという簡単な操作によって、レンズアレイ２と背面プレート４とを、間に画像フィルム３を挟み込んだ状態で一体に固定することができる。係合押さえ具２８、２８を構成する素材としては、例えば、プラスチックなどの弾性を有するものが好ましく、その場合には、係合押さえ具２８、２８のＣ字型の両端部を若干押し開いた状態で、レンズアレイ２と背面プレート４の端部に差し込むことにより、差し込んだ後は係合押さえ具２８、２８が、自身の弾性によって、レンズアレイ２と背面プレート４とをより確実に一体に固定することとなる。なお、この図示の例以外にも種々の固定手段が採用可能であり、例えば、ワンタッチで固定と解除が行えるワンタッチ金具などを採用しても良い。
【００３８】
図１６、図１７は、本発明のディスプレイ装置１の更に他の例を示す図である。これまでの図におけると同じ部材には同じ符号を付してある。図１６、図１７において、３１はスライド部材であり、案内溝３２を介してガイドローラー３３、３３によって背面プレート４にスライド可能に取り付けられる。スライド部材３１の先端部には駆動ピン１６が取り付けられており、画像フィルム３を挟み込んで本発明のディスプレイ装置１を組み立てると、駆動ピン１６は画像フィルム３に設けられた駆動ピン１６の断面形状とほぼ同形の受入孔７を貫通し、その先端はレンズアレイ２の対応する位置に設けられた有底の凹部１７内に達することになる。スライド部材３１には、偏心カム９が当接挿入される受入孔３４が設けられており、偏心カム９を受入孔３４内に挿入当接させ、モーター１１を回転して偏心カム９を回転させると、スライド部材３１は、ガイドローラー３３、３３に沿って図中左右方向に周期的にスライド移動することになる。同時に、スライド部材３１の先端部に取り付けられている駆動ピン１６も周期的に移動し、その駆動ピン１６が貫通している画像フィルム３も図中双方向矢印で示す方向に周期的に移動して、レンズアレイ２の表側には複数の画像が切り換わって表示されることとなる。
【００３９】
この図の例においては、画像フィルム３の上部は駆動ピン１６が受入孔７を貫通することによって位置決め固定されているので、上部の案内ピン６ａ、６ｄは不要である。一方、画像フィルム３の下部は位置決め固定されていないので、下部の案内ピン６ｂ、６ｃは必要であり、この下部案内ピン６ｂ、６ｃを、例えば図７に示すように、偏心軸によってレンズアレイ２に設けられた有底の凹部内に取り付けることによって移動可能とし、画像フィルム３のレンズアレイ２に垂直な軸の回りの傾き等、画像フィルム３のレンズアレイ２に対する位置関係を調整可能とするのが好ましい。
【００４０】
図１８は、図１６、図１７の例における駆動ピン１６の部分を拡大断面図である。図１８に示すように、駆動ピン１６は、凹部１７内に位置する先端部に、くびれ部３５を有しており、このくびれ部には、このくびれ部に嵌合する内径を有するリング状部材３６が取り付けられている。リング状部材３６の外径は、画像フィルム３に設けられた受入孔７の内径よりも大きい方が好ましい。このように、リング状部材３６を駆動ピン１６の先端部のくびれ部３５に取り付けることによって、駆動ピン１６から画像フィルム３が無用に脱落したりするのを有効に防止することができる。リング状部材３６としては、簡単にくびれ部３５に嵌合させたり、取り外したりすることができ、且つ、特別な外力を加えない限り、その場に止まるものであれば、どのような材質のものでも良いが、ゴム製のリングを使用するのが入手容易性の点からも好ましい。
【００４１】
図１９は、図１６、図１７に示すタイプのディスプレイ装置において、画像フィルム３のレンズアレイ２に対する位置関係を調節する手段の他の例を示す図であり、図１６、図１７におけると同じものには同じ符号を付してある。図１９において、画像フィルム３の下端部（図では右端部）中央には、切れ込み３７が設けられており、この切れ込み３７と対応する位置のレンズアレイ２の裏面には案内ピン６ａが設けられている。この案内ピン６ａは、図７に示すものと同じく、偏心した回転軸によってレンズアレイ２の裏面に取り付けられており、回転させることによって、その位置を変えることができるようになっている。図１９に示されるディスプレイ装置が組み立てられた状態では、案内ピン６ａは、画像フィルム３の切れ込み３７に係合しているので、案内ピン６ａを回転させてその位置を変えることによって、画像フィルム３の下端部は左右に位置を変え、結果としてレンズアレイ２に対する画像フィルム３の位置関係を調節することができるものである。
【００４２】
図２０、図２１は、図１６、図１７に示すタイプのディスプレイ装置において、画像フィルム３のレンズアレイ２に対する位置関係を調節する手段の更に他の例を示す図である。図２０において、画像フィルム３には、切れ込み３７が設けられており、その切れ込み３７と対応する位置のレンズアレイ２の裏面には案内ピン６ｃが設けられているが、この案内ピン６ｃは、図１９の例とは異なり、回転させてもレンズアレイ２に対してその位置を変えることがないように取り付けられている。一方、駆動ピン１６は、図２１に示すように、偏心した回転軸３９によってスライド部材３１に取り付けられており、回転つまみ３８を回転させることによってスライド部材３１に対する位置を変えることができるようになっている。駆動ピン６の先端部は、画像フィルム３の受入孔７と係合しているので、回転つまみ３８を回転させることによって、画像フィルム３の上端部は左右に位置を変え、結果としてレンズアレイ２に対する画像フィルム３の位置関係を調節することができるものである。
【００４３】
上記のような案内ピン６ａ又は回転つまみ３８の回転による画像フィルム３のレンズアレイ２に対する位置関係の調節は、例えば、レンズアレイ２の表側に表示される画像を見ながら適正な画像表示が得られる位置を探すことによって行うことができる。このように、本発明のディスプレイ装置１においては、レンズアレイ２の裏面に平行な面内でのレンズアレイ２に対する画像フィルム３の位置関係を調節する手段が設けられているので、外形形状等に多少の歪みのある画像フィルムであっても、レンズアレイ２との位置関係を最適な状態に調節して使用することができるものである。
【００４４】
図２２、図２３、図２４は、本発明のディスプレイ装置の更に他の一例を示す図であり、比較的大型の画像を表示する場合に適したディスプレイ装置の例である。図２２は、ハウジングを取り外して、背面プレート４を裏側から見た図、図２３は中央断面図、図２４は、ハウジングを開放した状態の斜視図である。図２２において、図１６の例では単体であったスライド部材３１が、スライド部材本体３１ａ、２個の駆動ピン１６、１６と連結された駆動ピン連結部３１ｂ、２個の固定ピン４０、４０を有する固定ピン部３１ｃの３つに分割されている。
【００４５】
２個の駆動ピン１６、１６は、画像フィルム３の上部の両端部に設けられた図示しない受入孔７、７に挿入され、画像フィルム３を貫通して、その先端は、図２３に示されるように、レンズアレイ２の裏面に設けられた有底の凹部１７、１７内に達している。一方、２個の固定ピン４０、４０は、画像フィルム３の下部の両端部を貫通して、その先端は、やはりレンズアレイ２の裏面に設けられた有底の凹部１７、１７内に達している。画像フィルム３には、固定ピン４０、４０を受け入れる図示しない受入孔がその対応する位置に設けられている。
【００４６】
駆動ピン１６、１６の先端部は、図２３に見られるように、上方にＬ字型にほぼ直角に曲折しており、画像フィルム３が駆動ピン１６、１６から無用に外れるのを防止している。一方、固定ピン４０、４０の先端部は、下方に向かって斜めに曲折している。これは、後述するようにハウジングを開いて画像フィルム３を交換する場合などに、画像フィルム３の下端部が風などに煽られて翻るのを防止するためである。つまり、画像フィルム３が風などによって煽られるのは上に向かってであるので、それを有効に防止するには、固定ピン４０、４０の先端部は、煽られる方向とは逆に下方に向かって曲折しているのが良いのである。勿論、固定ピン４０、４０を、駆動ピン１６、１６と同様に、上方に向かって曲折させるようにしても良い。いずれにせよ、駆動ピン１６、１６及び固定ピン４０、４０の先端部を上述のように曲折させておくことにより、ハウジング開放時の画像フィルム３の無用の浮き上がりや、脱落を有効に防止することが可能となる。
【００４７】
図２２に戻って、スライド部材本体３１ａと駆動ピン連結部３１ｂとは、スライド部材本体３１ａに設けられた長孔４１とネジ４２とによって、互いの位置関係を調整可能な状態で連結されている。同様に、スライド部材本体３１ａと固定ピン部３１ｃとも、スライド部材本体３１ａに設けられた長孔４１とネジ４２とによって、互いの位置関係を調整可能な状態で連結されている。これにより、画像フィルム３の多少の形状のばらつきにも対応できるようになっている。３２は先に説明したのと同じく、スライド部材本体３１ａに設けられた案内溝、３３、３３は、スライド部材本体３１ａを背面プレート４にスライド可能に保持するガイドローラーであり、案内溝３２に係合している。３４は偏心カム９が当接挿入される受入孔である。
【００４８】
図２３において、４３は柔軟性を有する部材であり、背面プレート４と画像フィルム３との間に配設され、画像フィルム３をレンズアレイ２の裏面に柔らかに付勢するものである。画像フィルム３がある程度以上大きくなると、その両端部に配置したスペーサーだけによって画像フィルム３とレンズアレイ２の裏面との距離を一定に保つのは次第に困難となるので、そのような場合には、柔軟性を有する部材４３を画像フィルム３と背面プレート４との間に配設して、画像フィルム３の移動を妨げない程度の柔らかな力で画像フィルム３をレンズアレイ２の裏面に押し付けることによって、画像フィルム３とレンズアレイ２の裏面との距離を一定に保つのが好ましい。柔軟性を有する部材４３としては、画像フィルム３の移動を妨げない程度の柔らかな力で画像フィルム３をレンズアレイ２の裏面に押し付けることができるものであれば、どのような素材のものを使用しても良く、人工或いは天然の繊維、それらを用いた例えばガーゼなどの織布、紙、再生紙などを含めた不織布、綿などの繊維原料などが挙げられるが、入手が容易で、しかも適度な光散乱性を有しているという点からは、綿を用いるのが最も好ましい。背面プレート４の背後には、４４で示すように蛍光灯などの人工のバックライトが設けられているので、柔軟性を有する部材４３として、例えば綿などの適度な光散乱性を有する素材を使用すると、蛍光灯などのバックライト４４からの光を適度に散乱して、画像フィルム３の全体に柔らかで均一なバックライトを供給し、均一に明るく柔らかな画像を表示することができるとの利点がある。
【００４９】
図２３、図２４に示すように、この例における本発明のディスプレイ装置１は、ハウジング４５ａ、４５ｂ、４５ｃ内に収納されている。ハウジング４５ａ、４５ｂ、４５ｃの一側端（図２４において奥に位置する側の端部）は、図示しない蝶番によって互いに回動可能に連結されており、ハウジング４５ａ、４５ｂ、４５ｃの他側端（図２４において手前に位置する側の端部）は、図示しない係止部材によって、一時的に係止固定したり、係止を解除して、図２４に示すように開放したりすることができるようになっている。このように、ディスプレイ装置１をハウジング４５ａ、４５ｂ、４５ｃ内に収容することによって、器具を埃や湿気、衝撃等から保護することができることは勿論、画像フィルム３の交換時や、内部のメンテナンス時には、係止部材を解除してハウジング４５ａ、４５ｂ、４５ｃを適宜開放することができるので、極めて便利である。
【００５０】
図２５は、図２３、図２４に示したような本発明のディスプレイ装置において、画像フィルム３のレンズアレイ２に対する位置関係を調節する機構の一例を示す説明図である。図２５に示すように、レンズアレイ２を収容したハウジング４５ａと画像フィルム３を収容したハウジング４５ｂとは、その一側端が蝶番４６ａ、４６ｂで連結されているが、上側の蝶番４６ａとハウジング４５ｂとは、１つのネジ４７だけで結合されており、一方、下側の蝶番４６ｂとハウジング４５ｂとの連結部には長孔４８が設けられているので、画像フィルム３を収容したハウジング４５ｂは、レンズアレイ２を収容したハウジング４５ａに対して、ネジ４７を中心として一定角度内で回転可能である。
【００５１】
一方、ハウジング４５ａの他側端には、Ｌ字金具４９が長孔４８を介して取り付けられており、他方、ハウジング４５ｂの他側端には、中央に切れ込みを有する金具５０が取り付けられている。ハウジング４５ａとハウジング４５ｂとを含めてハウジング全体が閉じられ、ハウジング４５ａとハウジング４５ｂとが図示しない係止部材によって所定の位置で一時的に固定された状態では、Ｌ字金具４９の先端は金具５０の切れ込み内に挿入された状態にあり、この状態でネジ５１を回転させるとＬ字金具４９は図中双方向矢印で示す方向に上下し、それに伴い、Ｌ字金具４９の先端が挿入されている金具５０を押し上げ、ないしは押し下げて、結果的に、金具５０が取り付けられているハウジング４５ｂを、蝶番４６ａを止めているネジ４７を中心として、ハウジング４５ａに対して回動させることとなる。これにより、レンズアレイ２の裏面に平行な面内でのレンズアレイ２に対する画像フィルム３の位置関係を調節することが可能となる。ネジ５１の回転による画像フィルム３のレンズアレイ２に対する位置関係の調節は、例えば、レンズアレイ２の表側に表示される画像を見ながら適正な画像表示が得られる位置を探すことによって行うことができる。このように、本発明のディスプレイ装置１においては、レンズアレイ２の裏面に平行な面内でのレンズアレイ２に対する画像フィルム３の位置関係を調節する手段が設けられているので、外形形状等に多少の歪みのある画像フィルムであっても、レンズアレイ２との位置関係を最適な状態に調節して使用することができるものである。
【００５２】
【発明の効果】
以上説明したように、本発明のディスプレイ装置によれば、画像フィルムが、その上部近傍に駆動部材を受け入れる受入孔を備え、その受入孔に挿入された駆動部材を駆動することによって画像フィルムをレンズアレイに対して移動させるようにしているので、画像フィルムはその上部で駆動部材によって支持されることになり、画像フィルムが仮に剛性の小さなフィルムであったとしても、画像フィルムの上部が自重によって湾曲するというような恐れはない。
【００５３】
また、本発明のディスプレイ装置においては、駆動部材を受け入れる受入孔は、画像フィルムのレンズアレイの裏面に位置する部位に設けられているので、レンズアレイの裏面からはみ出た位置に別途駆動部材との連結位置を設ける必要がなく、画像フィルムの全面を画像表示に利用することが可能となる。特に、レンズアレイの裏面に、画像フィルムの受入孔を貫通する駆動部材の先端部を収容する有底の凹部を設けてなる場合には、駆動部材を画像フィルムの受入孔を貫通させることが可能となり、駆動部材と画像フィルムとの係合をより確実なものとすることができるだけでなく、駆動部材が画像フィルムを貫通していることによる表示画像の乱れを最小限に止めることが可能になり、駆動部材が存在している箇所も含めて、画像フィルム全体を画像表示に利用することができるという利点がもたらされる。
【００５４】
また、本発明のディスプレイ装置においては、背面プレートとレンズアレイとの間に画像フィルムを移動可能に挟み込むことを可能にするスペーサーを備えているので、画像フィルムをレンズアレイ裏面に密着させることができ、レンズアレイと画像フィルムとの距離を常に一定に保つことが可能となる。更に、本発明のディスプレイ装置においては、背面プレートの画像フィルムと対向する側の面に、画像フィルムをレンズアレイ裏面に向かって付勢する柔軟性を有する部材を備えているので、この柔軟性を有する部材によって画像フィルムをレンズアレイ裏面に向かって付勢し、レンズアレイ裏面に画像フィルムを密着させることができる。このような柔軟性を有する部材によって画像フィルムを付勢するようにすることは、特に、スペーサーを有効に利用できない大型のディスプレイ装置の場合などにおいても画像フィルムとレンズアレイ裏面との距離を一定に保つことができ、極めて便利である。
【００５５】
更に、本発明のディスプレイ装置は、レンズアレイの裏面に平行な面内での画像フィルムのレンズアレイに対する位置関係を調整する手段を備えているので、仮に、画像フィルムの外形形状に歪みがある場合でも、画像フィルム上の画像とレンズアレイとの位置関係を所定の正しい位置に調整することができ、綺麗で乱れのない画像を表示することが可能となる。このように、本発明のディスプレイ装置は数々の優れた利点を備え、実用上も非常に有用な発明である。
【図面の簡単な説明】
【図１】本発明のディスプレイ装置の一例を示す斜視図である。
【図２】本発明のディスプレイ装置の一例を示す断面図である。
【図３】本発明のディスプレイ装置の動作を説明する図である。
【図４】本発明のディスプレイ装置の動作を説明する図である。
【図５】本発明のディスプレイ装置の動作を説明する図である。
【図６】本発明のディスプレイ装置の動作を説明する図である。
【図７】案内ピンの取り付け状態を示す拡大図である。
【図８】案内ピンの回転による画像フィルムの移動を説明する図である。
【図９】案内ピンの回転による画像フィルムの移動を説明する図である。
【図１０】本発明のディスプレイ装置の他の一例を示す部分切り欠き図である。
【図１１】本発明のディスプレイ装置の他の一例を示す断面図である。
【図１２】本発明のディスプレイ装置の更に他の一例を示す部分切り欠き図である。
【図１３】本発明のディスプレイ装置の更に他の一例を示す断面図である。
【図１４】本発明のディスプレイ装置の更に他の一例を示す部分切り欠き図である。
【図１５】レンズアレイと背面プレートとを一体的に固定する手段を一例を示す斜視図である。
【図１６】本発明のディスプレイ装置の更に他の一例を示す斜視図である。
【図１７】本発明のディスプレイ装置の更に他の一例を示す断面図である。
【図１８】駆動ピンの部分の拡大図である。
【図１９】レンズアレイに対する画像フィルムの位置関係を調節する手段の他の一例を示す図である。
【図２０】レンズアレイに対する画像フィルムの位置関係を調節する手段の更に他の一例を示す図である。
【図２１】レンズアレイに対する画像フィルムの位置関係を調節する手段の詳細を示す図である。
【図２２】本発明のディスプレイ装置の更に他の一例を示す図である。
【図２３】本発明のディスプレイ装置の更に他の一例を示す断面図である。
【図２４】ハウジングを開放した状態を示す斜視図である。
【図２５】ハウジング相互の位置関係調節手段の説明図である。
【符号の説明】
１              ディスプレイ装置
２              レンズアレイ
３              画像フィルム
４              背面プレート
５ａ、５ｂ      スペーサー
６ａ、６ｂ・・  案内ピン
７、３４        受入孔
８              取付孔
９              偏心カム
１０              回転軸
１１              モーター
１２ａ、１２ｂ・・・  取付ネジ
１３ａ、１３ｂ・・・  案内ピン受入孔
１４ａ、１４ｂ・・・、１７  有底凹部
１５ａ・・・      偏心軸
１６              駆動ピン
１８              Ｌ字レバー
１９              回転軸
２０              係合ピン
２１、３８、４５  長孔
２２              伝達片
２３              ソレノイド
２４              連結杵
２５              円盤状回転カム
２６              レバー
２７              等速カム
２８              係合押さえ具
２９              凸部
３０              係合溝
３１              スライド部材
３２              案内溝
３３              ガイドローラー
３５              くびれ
３６              リング状部材
３７              切れ込み
３８              回転つまみ
３９              回転軸
４０              固定ピン
４２、４７、５１  ネジ
４３              柔軟性を有する部材
４４              バックライト
４５ａ、４５ｂ、４５ｃ    ハウジング
４６ａ、４６ｂ    蝶番
４９              Ｌ字型金具
５０              金具
５１              バネ
【図１】
2004212549.tif 000003
【図２】
2004212549.tif 000004
【図３】
2004212549.tif 000005
【図４】
2004212549.tif 000006
【図５】
2004212549.tif 000007
【図６】
2004212549.tif 000008
【図７】
2004212549.tif 000009
【図８】
2004212549.tif 000010
【図９】
2004212549.tif 000011
【図１０】
2004212549.tif 000012
【図１１】
2004212549.tif 000013
【図１２】
2004212549.tif 000014
【図１３】
2004212549.tif 000015
【図１４】
2004212549.tif 000016
【図１５】
2004212549.tif 000017
【図１６】
2004212549.tif 000018
【図１７】
2004212549.tif 000019
【図１８】
2004212549.tif 000020
【図１９】
2004212549.tif 000021
【図２０】
2004212549.tif 000022
【図２１】
2004212549.tif 000023
【図２２】
2004212549.tif 000024
【図２３】
2004212549.tif 000025
【図２４】
2004212549.tif 000026
【図２５】
2004212549.tif 000027